(57)【要約】【課題】  耳朶を持ち上げて矯正し、耳朶の格好を良くすることができるようにして美顔形成できるようにする。【解決手段】  頭部Ｈにある耳Ｅの耳朶Ｌを持ち上げるもので、耳朶Ｌを前側に屈曲させて耳朶Ｌの裏面側を支承する支承面２を有した支承体１と、支承体１を頭部Ｈに保持する保持手段１０とを備えた。支承体１により耳朶Ｌが前側に屈曲させられて支承されると、耳朶Ｌが持ち上がる癖がつき、上向きに矯正されるようになる。そのため、耳朶Ｌの格好が良くなり、美顔にすることができるようになる。【選択図】  図１
2010110377.tif 000002
【特許請求の範囲】
【請求項１】
頭部にある耳の耳朶を持ち上げる耳朶持ち上げ具であって、
耳朶を前側に屈曲させて該耳朶の裏面側を支承する支承面を有した支承体と、該支承体を頭部に保持する保持手段とを備えたことを特徴とする耳朶持ち上げ具。
【請求項２】
上記支承体を、耳の下側に位置させられ上記支承面を有した本体部と、耳の後側に位置させられ上記本体部の後端に一体に立ち上がり形成される後側部とを備えたブロック状に形成したことを特徴とする請求項１記載の耳朶持ち上げ具。
【請求項３】
上記支承体の頭部側に対峙する裏面に、頭部の耳の周囲にある出っ張りを覆う凹所を形成したことを特徴とする請求項２記載の耳朶持ち上げ具。
【請求項４】
上記支承体を、頭部の両側に位置する一対の耳に夫々対応して一対設け、上記保持手段を上記一対の支承体を同時に保持する構成にしたことを特徴とする請求項１乃至３何れかに記載の耳朶持ち上げ具。
【請求項５】
上記保持手段を、両端に夫々支承体が取り付けられ頭部の上側に掛け渡されて該支承体を保持するヘッドバンドで構成したことを特徴とする請求項４記載の耳朶持ち上げ具。
【請求項６】
上記支承体の持ち上げ方向の位置を調整可能な位置調整手段を設けたことを特徴とする請求項５記載の耳朶持ち上げ具。
【請求項７】
上記保持手段を、一端に上記支承体が取り付けられ他端側が耳に掛けられるフック部材で構成したことを特徴とする請求項１乃至３何れかに記載の耳朶持ち上げ具。
【請求項８】
上記支承体を、木材で形成するとともに、表面の非木目部分を削ぎ、表面を木目部分と非木目部分とで凹凸形成したことを特徴とする請求項１乃至７何れかに記載の耳朶持ち上げ具。
【発明の詳細な説明】
【技術分野】
【０００１】
本発明は、耳朶を持ち上げて上向きに矯正して美顔にする耳朶持ち上げ具に関する。
【背景技術】
【０００２】
一般に、美顔にするための器具としては、例えば、顎及び頬の外周に沿って付帯される帯状部材を、頭に掛け渡されるヘアーバンドで保持することにより、この帯状部材で顎及び頬を包持し、これをヘアーバンドにより持ち上げることにより、筋肉を引き締めて矯正し、主に顔の側部の見栄えを良くして美顔にするようにしたものが種々提案されている（例えば、特開２００７−８９７３０号公報，特開２００６−２４７１９５号公報等参照）。
【０００３】
【特許文献１】特開２００７−８９７３０号公報
【特許文献２】特開２００６−２４７１９５号公報
【発明の開示】
【発明が解決しようとする課題】
【０００４】
ところで、このような従来の美顔にする器具においては、顎及び頬の筋肉を引き締めて矯正しており、主に顔の側部の見栄えを良くすることはできるが、特に正面から見た顔の場合に、必ずしも、顔の側部の見栄えは、顎及び頬の格好だけではなく、耳の格好、とりわけ、耳朶の格好が、重要な要素になっており、これらの器具では、この耳朶の矯正まで行うことはできない実情があった。
本願発明者は、長年の研究により、耳朶の格好が美顔の重要な要素の一つであり、特に、顔を正面から見た場合に、丸い耳の先端である耳朶が少し上がり気味になって見えると、肉厚に見え、このような耳朶が頭髪の間等から見えると美しく感じるようになることを見出した。
本発明は上記の点に鑑みて為されたもので、耳朶を持ち上げて矯正し、耳朶の格好を良くすることができるようにして美顔形成できるようにした耳朶持ち上げ具を提供することを目的とする。
【課題を解決するための手段】
【０００５】
このような目的を達成するための本発明の耳朶持ち上げ具は、頭部にある耳の耳朶を持ち上げる耳朶持ち上げ具であって、耳朶を前側に屈曲させて該耳朶の裏面側を支承する支承面を有した支承体と、該支承体を頭部に保持する保持手段とを備えた構成としている。
これにより、保持手段により支承体を頭部に保持すると、支承体により耳朶が前側に屈曲させられて耳朶の裏面側が支承される。この状態を、習慣的に行うようにすると、耳朶が持ち上がる癖がつき、上向きに矯正されるようになり、また、自然に顔の輪郭の弛みの低減にも寄与する。そのため、耳朶の格好が良くなり、特に、顔を正面から見た場合に、丸い耳の先端である耳朶が少し上がり気味になって見えると、肉厚に見え、このような耳朶が頭髪の間等から見えると美しく感じるようになり、美顔にすることができるようになる。
【０００６】
そして、必要に応じ、上記支承体を、耳の下側に位置させられ上記支承面を有した本体部と、耳の後側に位置させられ上記本体部の後端に一体に立ち上がり形成される後側部とを備えたブロック状に形成した構成としている。支承体がブロック状なので、頭部に対する保持が安定し、ぐらつくことが抑止されて、確実に、耳朶を前側に屈曲させて耳朶の裏面側を支承することができる。特に、本体部の後端に一体に立ち上がり形成される後側部が耳の後側に位置させられているので、耳がこの後側部を覆い被さって押さえることから、より一層保持が安定する。
【０００７】
また、必要に応じ、上記支承体の頭部側に対峙する裏面に、頭部の耳の周囲にある出っ張りを覆う凹所を形成した構成としている。耳の周囲は、頭蓋骨の起伏により凸凹して出っ張った部分があるが、これらの出っ張りが凹所に入り込むので、支承体が皮膚に良くフィットし、より一層、頭部に対する保持が安定し、ぐらつくことが抑止されて、確実に、耳朶を前側に屈曲させて耳朶の裏面側を支承することができる。
【０００８】
更に、必要に応じ、上記支承体を、頭部の両側に位置する一対の耳に夫々対応して一対設け、上記保持手段を上記一対の支承体を同時に保持する構成にしている。両方の耳を同時に矯正できるので、バランスよく耳の格好を整えることができる。
この場合、上記保持手段を、両端に夫々支承体が取り付けられ頭部の上側に掛け渡されて該支承体を保持するヘッドバンドで構成したことが有効である。耳掛けやヘッドホンを装着するように、容易に頭部に装着することができるようになる。
【０００９】
また、この場合、上記支承体の持ち上げ方向の位置を調整可能な位置調整手段を設けたことが有効である。支承体の持ち上げ方向の位置調整により、耳朶を折り曲げる程度を可変できるので、耳朶の条件等に応じた矯正を行うことができるようになる。
【００１０】
そして、必要に応じ、上記保持手段を、一端に上記支承体が取り付けられ他端側が耳に掛けられるフック部材で構成している。これによれば、一対の耳に対して、独立して支承体を装着することができ、容易に頭部に装着することができるようになるとともに、保持も確実にすることができる。
【００１１】
また、必要に応じ、上記支承体を、木材で形成するとともに、表面の非木目部分を削ぎ、表面を木目部分と非木目部分とで凹凸形成した構成としている。木目が肌に謂わば線接触するので、面接触する場合に比較して、通気性が良く、肌に対する感触を良好にすることができる。木材としては、特に、桐材が優れる。桐は、肌触りが良く、また、比較的軽量なので、頭部への保持の負担が軽減される。
【発明の効果】
【００１２】
本発明の耳朶持ち上げ具によれば、支承体により耳朶を前側に屈曲させて支承するようにすると、耳朶が持ち上がる癖がつき、上向きに矯正することができるようになり、そのため、耳朶の格好を良くすることができる。特に、顔を正面から見た場合に、丸い耳の先端である耳朶が少し上がり気味になって見えると、肉厚に見え、このような耳朶が頭髪の間等から見えると美しく感じるようになり、美顔にすることができるようになる。
【発明を実施するための最良の形態】
【００１３】
以下、添付図面に基づいて、本発明の実施の形態に係る耳朶持ち上げ具について詳細に説明する。
図１乃至図４に示すように、本発明の実施の形態に係る耳朶持ち上げ具Ｍは、頭部Ｈにある耳Ｅの耳朶Ｌを持ち上げるもので、その基本的構成は、耳朶Ｌを前側に屈曲させて耳朶Ｌの裏面側を支承する支承面２を有した支承体１と、この支承体１を頭部Ｈに保持する保持手段１０とを備えてなる。
【００１４】
詳しくは、支承体１は、頭部Ｈの両側に位置する一対の耳Ｅに夫々対応して一対設けられている。一対の支承体１は、互いに対称に形成されている。支承体１は、耳Ｅの下側に位置させられ支承面２を有した本体部３と、耳Ｅの後側に位置させられ本体部３の後端に一体に立ち上がり形成される後側部４とを備えたブロック状に形成され、謂わば、ゴルフのアイアンのヘッドのような形状に形成されている。
支承体１は、木材で形成されるとともに、表面の非木目部分を削ぎ、表面が木目部分と非木目部分とで凹凸形成されている。この表面加工は、木目に沿って、幾度となく刷毛を当接移動させて、非木目部分を削りとって、木材の木目の比較的硬い部分を残こすようにする。表面は、これに白ろうを塗り、布で表面に光沢が出るまで磨き上げる。これにより、木目が肌に対して謂わば線接触するので、全体が面接触する場合に比較して、通気性が良くなる等の理由で、肌に対する感触を良好にすることができる。木材としては、特に、桐材が優れる。桐は、肌触りが良く、また、比較的軽量なので、頭部への保持の負担が軽減される。
【００１５】
また、支承体１の頭部Ｈ側に対峙する裏面に、頭部Ｈの耳Ｅの周囲にある出っ張りを覆う凹所が形成されている。凹所としては、下顎の基端部に対応する略円形の第１凹所５と、側頭骨の耳Ｅ近傍に対応する縦長の段状の第２凹所６とが形成されている。
【００１６】
保持手段１０は、一対の支承体１を同時に保持する構成にしている。詳しくは、保持手段１０は、両端に夫々支承体１が取り付けられ頭部Ｈの上側に掛け渡されて支承体１を保持する帯状のヘッドバンド１１で構成されている。ヘッドバンド１１は、例えば、可撓性で弾性のある樹脂あるいは金属製で形成され、必要に応じ、樹脂シート，布あるいは皮革などのカバー（図示せず）で被覆してある。
【００１７】
また、本実施の形態においては、支承体１の持ち上げ方向の位置を調整可能な位置調整手段２０が設けられている。位置調整手段２０は、図４（ａ）に示すように、ヘッドバンド１１の端部に固定された扁平の棒状でクランク状のスライダ２１と、支承体１の後側部４の先端から上下方向に形成されスライダ２１が摺動し摩擦力により停止可能なスライド孔２２とから構成されている。この場合、ネジなどで支承体１を適宜の位置でスライダ２１に固定して位置決めできるように構成してもよい。スライダ２１をクランク状に形成したのは、ヘッドバンド１１の端部と支承体１の支承面２が頭部Ｈの前後方向に対して同位になるようにして、ヘッドバンド１１が頭の中央に位置して、支承体１の支承を安定させるためである。
【００１８】
従って、この実施の形態に係る耳朶持ち上げ具Ｍを用いるときは、保持手段１０のヘッドバンド１１を頭部Ｈに掛け、位置調整手段２０のスライダ２１に対して支承体１を上下動させてその持ち上げ方向の位置を適宜に調整し、支承体１の支承面２により耳朶Ｌが前側に屈曲させられて耳朶Ｌの裏面側が支承されるようにする。この場合、保持手段１０は、ヘッドバンド１１で構成されているので、耳掛けやヘッドホンを装着するように、容易に頭部Ｈに装着することができるようになる。また、位置調整手段２０により支承体１の持ち上げ方向の位置を調整できるので、耳朶Ｌを折り曲げる程度を可変でき、耳朶Ｌの条件等に応じた矯正を行うことができるようになる。
【００１９】
そして、この状態を、習慣的に行うようにすると、耳朶Ｌが持ち上がる癖がつき、上向きに矯正されるようになる。そのため、耳朶Ｌの格好が良くなり、特に、顔を正面から見た場合に、丸い耳Ｅの先端である耳朶Ｌが少し上がり気味になって見えると、肉厚に見え、このような耳朶Ｌが頭髪の間等から見えると美しく感じるようになり、美顔にすることができるようになる。この場合、一対の支承体１を保持手段１０で同時に保持しているので、両方の耳Ｅを同時に矯正できるので、バランスよく耳Ｅの格好を整えることができる。
【００２０】
この耳朶持ち上げ具Ｍの使用中においては、支承体１はブロック状なので、頭部Ｈに対する保持が安定し、ぐらつくことが抑止されて、確実に、耳朶Ｌを前側に屈曲させて耳朶Ｌの裏面側を支承することができる。特に、本体部３の後端に一体に立ち上がり形成される後側部４が耳Ｅの後側に位置させられているので、耳Ｅがこの後側部４を覆い被さって押さえることから、より一層保持が安定する。
【００２１】
また、耳Ｅの周囲は、頭蓋骨の起伏により凸凹して出っ張った部分があるが、これらの出っ張り部分は、支承体１の頭部Ｈ側に対峙する裏面に形成された第１凹所５及び第２凹所６に入り込むので、支承体１が皮膚に良くフィットし、より一層、頭部Ｈに対する保持が安定し、ぐらつくことが抑止されて、確実に、耳朶Ｌを前側に屈曲させて耳朶Ｌの裏面側を支承することができる。
更に、支承体１は、木製であり、例えば、桐材を切削加工して形成されているので、適度な重さになり、また、肌触りも良く、この点でも支承体１が皮膚に良くフィットし、より一層、頭部Ｈに対する保持が安定する。
【００２２】
図５には、位置調整手段２０の別の例を示している。この位置調整手段２０は、支承体１の後側部４の先端に固定された棒状でクランク状の例えば樹脂製のスライダ２３と、ヘッドバンド１１の端部に設けられスライダ２１が摺動し摩擦力により停止可能なスライド孔２４とから構成されている。この場合、ネジなどでスライダ２３を適宜の位置でヘッドバンド１１の端部に固定して位置決めできるように構成してもよい。
【００２３】
図６には、別の実施の形態に係る耳朶持ち上げ具Ｍを示している。これは、一対の耳Ｅに対して、夫々、独立して装着できるようにしたものであり、耳朶Ｌを前側に屈曲させて耳朶Ｌの裏面側を支承する支承面２を有した支承体１と、支承体１を頭部Ｈに保持する保持手段１０とを備え、この保持手段１０は、一端に支承体１の後側端が取り付けられ他端側が耳Ｅに掛けられる金属製の線材や樹脂製線材で形成されたフック部材３０で構成されている。これによれば、フック部材３０を耳Ｅに掛けるだけで支承体１を装着でき、しかも、一対の耳Ｅに対して、独立して支承体１を装着することができ、容易に頭部Ｈに装着することができるようになるとともに、保持も確実にすることができる。
【００２４】
尚、上記実施の形態において、位置調整手段２０は、上述したものに限定されるものではなく、例えば、ヘッドバンド１１を伸縮自在にして長さ調整できるようにしても良く、適宜変更して差支えない。また、ヘッドバンド１１は、折り畳みできるように構成すれば、非使用時に、コンパクトにすることができる。
【００２５】
尚また、上記実施の形態において、支承体１を、木製の例えば桐材で構成したが、必ずしもこれに限定されるものではなく、例えば、樹脂や金属で形成するなど、適宜変更して差支えない。また、上記実施の形態において、支承体１をブロック状に形成したが、必ずしもこれに限定されるものではなく、板状に形成するなど、適宜変更して差支えない。更に、上記実施の形態において、支承体１に必ずしも後側部４を設けなくてもよい。更にまた、保持手段１０の構成も上述したものに限定されるものではなく、適宜変更して良いことは勿論である。
【図面の簡単な説明】
【００２６】
【図１】本発明の実施の形態に係る耳朶持ち上げ具をその使用状態とともに示し、（ａ）は側面図、（ｂ）は正面図である。
【図２】本発明の実施の形態に係る耳朶持ち上げ具を示す斜視図である。
【図３】本発明の実施の形態に係る耳朶持ち上げ具の支承体を示す斜視図である。
【図４】本発明の実施の形態に係る耳朶持ち上げ具の支承体及び位置調整手段を示す要部図であり、（ａ）は側面部分断面図、（ｂ）は正面図、（ｃ）は図３中Ａ−Ａ線断面図である。
【図５】本発明の実施の形態に係る耳朶持ち上げ具の位置調整手段の別の例を示す側面部分断面図である。
【図６】本発明の別の実施の形態に係る耳朶持ち上げ具を示す図である。
【符号の説明】
【００２７】
Ｍ  耳朶持ち上げ具
Ｈ  頭部
Ｅ  耳
Ｌ  耳朶
１  支承体
２  支承面
３  本体部
４  後側部
５  第１凹所
６  第２凹所
１０  保持手段
１１  ヘッドバンド
２０  位置調整手段
２１  スライダ
２２  スライド孔
２３  スライダ
２４  スライド孔
３０  フック部材
【図１】
2010110377.tif 000003
【図２】
2010110377.tif 000004
【図３】
2010110377.tif 000005
【図４】
2010110377.tif 000006
【図５】
2010110377.tif 000007
【図６】
2010110377.tif 000008
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
頭部にある耳の耳朶を持ち上げる耳朶持ち上げ具であって、
耳朶を前側に屈曲させて該耳朶の裏面側を支承する支承面を有した支承体と、該支承体を頭部に保持する保持手段とを備え、
上記支承体を、耳の下側に位置させられ上記支承面を有した本体部と、耳の後側に位置させられ上記本体部の後端に一体に立ち上がり形成される後側部とを備えたブロック状に形成したことを特徴とする耳朶持ち上げ具。
【請求項２】
上記支承体の頭部側に対峙する裏面に、頭部の耳の周囲にある出っ張りを覆う凹所を形成したことを特徴とする請求項１記載の耳朶持ち上げ具。
【請求項３】
上記支承体を、頭部の両側に位置する一対の耳に夫々対応して一対設け、上記保持手段を上記一対の支承体を同時に保持する構成にしたことを特徴とする請求項１または２記載の耳朶持ち上げ具。
【請求項４】
上記保持手段を、両端に夫々支承体が取り付けられ頭部の上側に掛け渡されて該支承体を保持するヘッドバンドで構成したことを特徴とする請求項３記載の耳朶持ち上げ具。
【請求項５】
上記支承体の持ち上げ方向の位置を調整可能な位置調整手段を設けたことを特徴とする請求項４記載の耳朶持ち上げ具。
【請求項６】
上記保持手段を、一端に上記支承体が取り付けられ他端側が耳に掛けられるフック部材で構成したことを特徴とする請求項１または２記載の耳朶持ち上げ具。
【請求項７】
上記支承体を、木材で形成するとともに、表面の非木目部分を削ぎ、表面を木目部分と非木目部分とで凹凸形成したことを特徴とする請求項１乃至６何れかに記載の耳朶持ち上げ具。